(57)【要約】【課題】特定の固定手段を維持する一方で、より大きな部分的変位長さが両変位方向において相当及び効果的な量で使用されうるようにし、したがって既存のカメラ三脚ヘッドが容易に修理あるいは改造されるのを許容する。【解決手段】本発明は、スライドプレート（３）に取り付けられるカメラプレート（７）を備えたカメラ三脚ヘッドに関し、スライドプレート（３）は、該スライドプレート（３）が三脚ヘッドから取り外されて反対方向に交換されうるようにリリース可能な少なくとも１つのストッパ（９）を有する。これは、より大きな範囲内で重心のシフトを実行することを可能にする。【選択図】図３ａ
2007047774.tif 000002
【特許請求の範囲】
【請求項１】
変位制限固定手段（４）によってスライドプレート（３）に取り外し可能に取り付けられるカメラプレート（７）を備えたカメラ三脚ヘッドであって、前記スライドプレート（３）が、該三脚ヘッド（１）で変位可能にガイドされ、少なくとも１つのカウンターストッパ（１５）に関連する２つのストッパ（８、９）間で制限され、かつ、好ましくは全変位範囲（Ｖ）を通じて無段階にロック可能（５）とされており、該三脚ヘッド（１）の中心（Ｎ）から始まる部分的変位長さ部分（Ｖ１、Ｖ２）が異なる長さを有しているカメラ三脚ヘッドにおいて、
スライドプレート（３）が、ツールを使用することなく該三脚ヘッド（１）から取り外されることができ、かつ、取り付けられるカメラ（２）の光軸（Ｏ）の方向とは反対向きに交換されることができ、変位制限ストッパのうちの少なくとも１つが、ストッパ位置からカウンターストッパ（１５）による移動経路の外側及び後ろのリリース位置までフリーストッパ（９）として移動可能であることを特徴とするカメラ三脚ヘッド。
【請求項２】
請求項１に記載のカメラ三脚ヘッドにおいて、
フリーストッパ（９）が、スライドプレート（３）の変位を制限する固定手段（４）から所定距離をおいて配置されていることを特徴とするカメラ三脚ヘッド。
【請求項３】
請求項１に記載のカメラ三脚ヘッドにおいて、
カウンターストッパ（１５）が、横に変位可能なようにあるいはこの目的のために引き込み可能なようにフリーストッパとして構成されかつ配置されていることを特徴とするカメラ三脚ヘッド。
【請求項４】
請求項１〜３のいずれか１項に記載のカメラ三脚ヘッドにおいて、
フリーストッパ（９）が、手動レバー（１０）の一部分であることを特徴とするカメラ三脚ヘッド。
【請求項５】
請求項１〜３のいずれか１項に記載のカメラ三脚ヘッドにおいて、
フリーストッパ（９）が、手動押しロッドの一部分であることを特徴とするカメラ三脚ヘッド。
【請求項６】
請求項１〜３のいずれか１項に記載のカメラ三脚ヘッドにおいて、
フリーストッパ（９）が、手動引きロッドの一部分であることを特徴とするカメラ三脚ヘッド。
【請求項７】
請求項４〜６のいずれか１項に記載のカメラ三脚ヘッドにおいて、
レバー（１０）、押しロッド、あるいは引きロッドが、フリーストッパ（９）をストッパ位置に押圧するようなバネ式のもの（バネ１１）であることを特徴とするカメラ三脚ヘッド。
【請求項８】
請求項４〜７のいずれか１項に記載のカメラ三脚ヘッドにおいて、
バネ力が、意図しない作動を困難にするようにセットされていることを特徴とするカメラ三脚ヘッド。
【請求項９】
請求項４〜８のいずれか１項に記載のカメラ三脚ヘッドにおいて、
フリーストッパ（９）の作動経路が、意図しない作動を困難にする大きな寸法を有するようにセットされていることを特徴とするカメラ三脚ヘッド。
【請求項１０】
請求項４〜９のいずれか１項に記載のカメラ三脚ヘッドにおいて、
レバー（１０）、押しロッド、あるいは引きロッドのためのハンドル（１１）が、保護された様式ではあるがアクセス可能にスライドプレート（３）に取り付けられていることを特徴とするカメラ三脚ヘッド。
【請求項１１】
請求項１〜１０のいずれか１項に記載のカメラ三脚ヘッドにおいて、
フリーストッパ（９）がスライドプレート（３）に取り付けられ、カウンターストッパが三脚ヘッドの固定部材（１４）に取り付けられていることを特徴とするカメラ三脚ヘッド。
【請求項１２】
請求項１〜１１のいずれか１項に記載のカメラ三脚ヘッドにおいて、
両ストッパ（８、９）がスライドプレート（３）に取り付けられ、カウンターストッパ（１５）が三脚ヘッドの固定部材（１４）に取り付けられているか、あるいは、その逆とされていることを特徴とするカメラ三脚ヘッド。
【請求項１３】
請求項１〜１１のいずれか１項に記載のカメラ三脚ヘッドにおいて、
フリーストッパ（９）が、スライドプレート（３）がガイダンスに挿入されたときに、カウンターストッパ（１５）に対するフリーストッパ（９）の当接と同時に、レバー（１０）、押しロッド、あるいは引きロッドがバネ力に抗して道を生じさせるようにする当接面（１６）を備えていて、フリーストッパが、作動することなくカウンターストッパ（１５）の後ろのストッパ位置まで自動的に移動可能であることを特徴とするカメラ三脚ヘッド。
【発明の詳細な説明】
【技術分野】
【０００１】
本発明は、カメラガイダンスに対するかなりの要求を考慮し、様々な旋回及び傾斜範囲を通じて完全なカメラガイダンスを許容するために、カメラの重心が旋回及び傾斜移動に対して適切な関係を有するように注意を払わなければならないカメラ三脚の技術分野に関するものである。
【背景技術】
【０００２】
カメラは、該カメラに取り付けられたカメラ取り付けプレートを使用して、カメラ三脚ヘッドのスライドプレートに取り外し可能に取り付けられることが知られており、前記カメラ三脚ヘッドは、様々なカメラ移動のための減衰及び重量補償機構を含んでいる。その取り外し可能な取り付けは固定手段によって形成され、該固定手段の取り付けはスライドプレートの変位を一方向に制限し、前記変位方向はカメラの光軸と平行に延びる。スライドプレートは、三脚ヘッドのあり継ぎガイド内において、三脚ヘッドに取り付けられた少なくとも１つのカウンターストッパに関連する２つのストッパの間で変位可能にガイドされる。これに関して、無段階に変位可能なスライドプレートは、全変位範囲を通じて無段階にロックされうるものであり、三脚ヘッドの傾斜中心から始まる部分的変位長さ部分が異なる長さを有している。これは、三脚をしまい込む際の困難性を回避するために、スライドプレートの長さをできる限り短く維持するという目的に基づいたものである。他方、前述の固定手段は、好ましくはカメラのレンズを向く前方部分とされる一部分への変位を阻止して、より大きな変位長さが後方セクションに設けられるようにするものであり、カメラの重心が重いレンズのために通常は後方にシフトされて三脚ヘッドの傾斜中心へ動かされるようにする。
【０００３】
前述のストッパは、変位を自動的に制限するように設けられ、したがって、スライドプレートが三脚ヘッドから完全に取り外されてカメラと共に落下することを阻止する。
【発明の開示】
【発明が解決しようとする課題】
【０００４】
本発明の技術的課題は、特定の固定手段を維持する一方で、より大きな部分的変位長さが両変位方向において相当及び効果的な量で使用されうるようにし、したがって既存のカメラ三脚ヘッドが容易に修理あるいは改造されるのを許容する、前述のタイプのカメラ三脚ヘッドを構成することである。
【課題を解決するための手段】
【０００５】
本発明によれば、この目的は、スライドプレートが、ツールを使用することなく三脚ヘッドから取り外されることができ、かつ、取り付けられるカメラの光軸の方向とは反対向きに取り付けられることができ、変位制限ストッパのうちの少なくとも１つが、ストッパ位置からカウンターストッパによる移動経路の外側及び後ろのリリース位置までフリーストッパとして移動可能であることによって達成される。
【０００６】
反対向きのこの交換に基づくと、前記移動可能フリーストッパが、簡単な様式でかつツールを使用する必要なしで、カメラの前方及び後方の両方向においてより長い部分的変位長さが有効になることを許容する。これは、短いスライドプレートを維持し、既存の技術の特定の固定機構を修正することなく、つまり、重心がより前方にあるカメラのためだけではなく、より軽いレンズが使用された場合に、例えば、電気ストレージバッテリがカメラの後方部分に配置されて重心を後方にシフトさせた場合に、重心がより後方にあるカメラのためにも、カメラの重心が三脚ヘッドの傾斜軸線に関して最適な広範囲内で最適にシフトされることを許容する。
【０００７】
フリーストッパは、便宜上、スライドプレートの変位を制限する固定手段から所定距離をおいて配置されたストッパである。それに関連して、そのような固定手段あるいはその前方に配置された独立ストッパが一方向への制限部を形成し、フリーストッパが他方向への制限部を形成しており、フリーストッパが変位可能となると、それからスライドプレートがいずれの側にも取り外し可能となる。スライドプレートはしたがって、ショルダーパッドに関する調整のためのインターフェース、本体支持部への取り付け、あるいは、実際のカメラ三脚ヘッドに関係なくカメラの他の可能な用途を形成する。
【０００８】
フリーストッパは、手動レバーの一部分、あるいは、手動押しロッドの一部分、あるいは、手動引きロッドの一部分とされうる。もし、レバー、押しロッド、あるいは引きロッドがバネ式のものならば、フリーストッパは、作動していないときにこのバネによってストッパ位置に押圧されうる。作動すると、フリーストッパは、バネの作用に抗してリリース位置にシフトされる。これは特に、スライドプレートの迅速、単純、かつ効率的な取り外しを保証する。それに関連して、作動経路だけではなくバネ力が、意図しない作動を困難にするようにセットされうる。特に、これは、レバーの一部としてのストッパとレバー軸線との間の距離ができる限り大きいレバーを使用する場合に、作動経路に関して十分にセットされるべきである。
【０００９】
これは、さらなる安全を保証する。
【００１０】
たとえ、レバー、押しロッド、あるいは引きロッドのためのハンドルが、保護された様式ではあるがアクセス可能にスライドプレートに取り付けられていたとしても、意図しない作動が困難となる。
【００１１】
便宜上、フリーストッパがスライドプレートに取り付けられ、カウンターストッパが三脚ヘッドに取り付けられており、好ましくは、両ストッパがスライドプレートに取り付けられ、カウンターストッパが三脚ヘッドに取り付けられる。逆もまた可能である。
【００１２】
フリーストッパは、好ましくは、傾斜面あるいは湾曲面によって形成された当接面を備えている。スライドプレートが三脚ヘッドのガイダンスに挿入されたときに、当接面が、カウンターストッパに対して当接し、レバー、押しロッド、あるいは引きロッドをバネ力に抗して変位させて、フリーストッパが、レバー、押しロッド、あるいは引きロッドを作動させることなく、自動的に移動してカウンターストッパの後ろのストッパ位置まで移動可能となるようにする。スライドプレートを取り外すためには、フリーストッパをリリース位置に動かすように、レバー、押しロッド、あるいは引きロッドを作動させることが必要になるであろう。
【００１３】
この出願においてスライド「プレート」及びカメラ「プレート」と記載されている場合、これは必ずしもプレートである必要はない。この表現は、任意のプレート状の構成を含んでおり、たとえフラットな表面を備えていなくてもよい。三脚ヘッドの中心と記載されている場合、これは、傾斜軸線及び旋回軸線が互いに交差する位置のことである。そもそも、これは、傾斜軸線がそのように横たわる位置である。
【発明を実施するための最良の形態】
【００１４】
図１における具体例は、カメラ２が取り付けられた三脚ヘッド１を開示している。カメラの底側には、スライドプレート３の外側に挿入されるとともに固定手段４によって安定して固定される、図示されないカメラプレートが存在している。スライドプレート３は、修正されるスライドプレート３内におけるカメラの固定ポイントなしで、三脚ヘッドの残りの部分においてカメラ２の光軸Ｏの方向に変位可能にガイドされている。スライドプレート３のそれぞれの位置は、ハンドル５と、カメラ２の重心Ｓを三脚ヘッドの傾斜軸線Ｎに位置合わせするようにハンドル５と協働する機構と、を使用して無段階にロックされうる。さらにまた、カメラ２は、回転軸線Ｄに関して回転可能であり、かつ、ハンドル５’を使用して無段階に固定可能な傾斜位置をとるように傾斜軸線Ｎに関して旋回可能である。
【００１５】
スライドプレート３の上側には凹所６が存在しており、該凹所６には、カメラプレート７が挿入されかつ固定手段４によって固定されうる。カメラはしたがって、スライドプレートの変位によって修正される重心の位置合わせなしで、スライドプレートから取り外されうる。
【００１６】
固定手段４は、参照としてそのレンズとともにカメラの向きをとる一方向において、この場合は前方への、スライドプレート３のためのストッパ８あるいは移動リミッタを設けることを必要としている。カウンターストッパ９は、反対方向に位置しており、該カウンターストッパは、ハンドル１１によって作動されうるレバー１０の一部分である。レバーは、軸線１２に関して、つまりバネ１３の作用に抗して旋回可能である。図２において実線で示された具体例では、レバー１０が、フリーストッパ９とともにストッパ位置にあり、点線の場合には、それが、ハンドル１１がリリースされたときにレバー１０及びフリーストッパ９をストッパ位置へ戻すように動かすバネ１３とともにフリー位置にある。
【００１７】
スライドプレート３は、図３ａに描写された部分的変位経路Ｖ１及びＶ２だけではなく全変位経路Ｖで、固定部材１４に関して変位可能である。
【００１８】
固定手段４とそれに関連する変位制限部とを設けたことにより、部分的変位経路Ｖ２は、部分的変位経路Ｖ１よりも短い。両ストッパは、カウンターストッパ１５に対して当接する。固定部材１４が１つのシートでの描写のために変位された様式で示されるようにして、２つの末端の位置が図３ａ及び３ｂに示されている。
【００１９】
「フリーストッパ」という表現は、それがストッパ位置をリリースすることができることからストッパ９のために使用されている。図２において点線で示されたリリース位置において、スライドプレート３は、カウンターストッパ１５がそこに干渉することなしに完全に取り外されうる。スライドプレートを反対に交換する場合、長い変位経路Ｖ１が他の方向において利用可能となる、つまり、重心の位置により大きな違いを有するカメラが三脚で使用される場合、それは両方向において使用されうる。スライドプレートを三脚ヘッド上でスライドさせる場合にハンドル１１を作動させる必要がないように、レバー１０は、スライドプレート３が三脚ヘッド上へスライドされたときにカウンターストッパ１５によって当接される傾斜当接面１６を備えており、したがって、一旦カウンターストッパ１５がこの領域を通過してレバーがフリーストッパ９とともにバネで戻るまで、バネ力に抗してレバー１０を旋回させる。
【００２０】
カウンターストッパ１５の移動経路を去るまでフリーストッパ９によって移動される経路だけではなく、バネの力は、フリーストッパ９の意図しないリリースをできる限り阻止するように、可変的な様式でセットされうる。これはまた、さほど大きな接触面を提供しないようにハンドル１１がスライドプレート３にできる限り近接して静止することの結果として達成される。
【００２１】
カメラプレート及びスライドプレートからなるシステムはしたがって、好ましくはカメラのレンズの反対側に固定手段と共に維持されうる一方、それにもかかわらず、より軽いレンズが使用され、重心を後方にシフトするストレージバッテリがおそらくカメラの後ろに配置されたとしても、長い変位経路Ｖ１の使用を許容する。
【００２２】
これは、既存のシステムが容易に修理あるいは改造されることを許容する。
【図面の簡単な説明】
【００２３】
【図１】カメラが取り付けられたカメラ三脚ヘッドの側面図である。
【図２】カメラ三脚ヘッドのスライドプレートの底面図である。
【図３ａ】末端の変位位置とされる、図２の線ＩＩＩ−ＩＩＩに沿った横断面図である。
【図３ｂ】スライドプレートの他の末端の変位位置とされる、類似の横断面図である。
【符号の説明】
【００２４】
１  三脚ヘッド
２  カメラ
３  スライドプレート
４  固定手段
７  カメラプレート
８  ストッパ
９  フリーストッパ
１０  レバー
１１  ハンドル
１５  カウンターストッパ
１６  当接面
【図１】
2007047774.tif 000003
【図２】
2007047774.tif 000004
【図３ａ】
2007047774.tif 000005
【図３ｂ】
2007047774.tif 000006